(57)【要約】【課題】  着付け作業が容易で着心地が良く外観上の体裁が良好な和服を提供すること。【解決手段】  和服本体２が上下に分断されて和服用上身頃２Ａと和服用下身頃２Ｂとからなり、和服用上身頃２Ａを羽織り、衿２ａを重ね合わせて腰紐３を締めることにより、その和服用上身頃２Ａを上半身に装着し、和服用下身頃２Ｂを腰部に巻き付けた状態で該和服用下身頃２Ｂの両端部上縁どうしを連結することにより、その和服用下身頃２Ｂを下半身に装着し、帯４を上下両身頃２Ａ，２Ｂの重ね合わせ部分に巻き付けるようにした。【選択図】        図１
2005232611.tif 000002
【特許請求の範囲】
【請求項１】
和服本体が上下に分断されて和服用上身頃と和服用下身頃とからなり、和服用上身頃を羽織り、衿を重ね合わせて腰紐を締めることにより、その和服用上身頃を上半身に装着し、和服用下身頃を腰部に巻き付けた状態で該和服用下身頃の両端部上縁どうしを連結することにより、その和服用下身頃を下半身に装着し、帯を上下両身頃の重ね合わせ部分に巻き付けるようにしてなる和服。
【請求項２】
前記和服用上身頃の前面両脇部を部分的に折り重ねて縫うことにより、左右一対の脇襠部が形成されてなる請求項１に記載の和服。
【請求項３】
前記和服用下身頃の両端部上縁どうしが面ファスナにより着脱可能に連結されてなる請求項１または２に記載の和服。
【請求項４】
前記和服用下身頃の両端部側縁どうしが連結用ゴム紐により連結されてなる請求項１〜３のいずれかに記載の和服。
【請求項５】
前記和服用下身頃の上縁部に形成した袋部内の中央部に該和服用下身頃を縮径方向に付勢する縮径用ゴム紐が挿通されてなる請求項１〜４のいずれかに記載の和服。
【請求項６】
前記和服用下身頃の上部を折り重ねて縫うことにより、おはしょりが形成されてなる請求項１〜５のいずれかに記載の和服。
【請求項７】
前記おはしょりに挿抜可能に挿入される型崩れ防止用芯材を備えてなる請求項６に記載の和服。
【発明の詳細な説明】
【技術分野】
【０００１】
本発明は、着付け作業が容易で着心地が良く外観上の体裁が良好な和服に関する。
【背景技術】
【０００２】
従来の所謂ワンピース型の和服の着付け手順を説明すると、図９（ａ）に示すように、襦袢１を着た状態で和服本体２を羽織り、衿２ａを両手で持ち、和服本体２の下部全体を持ち上げて裾線２ｂを床面と平行させて裾の長さを決めた後、上前を決め、下前を合わせると共に、上前を合わせる。続いて、図９（ｂ）に示すように、腰紐３を腰部に巻き付けて締結することにより和服本体２を身体に装着する。その後、図９（ｃ）に示すように、おはしょり２ｃを下げて整える。次に、図９（ｄ）に示すように、帯４を巻き付けることにより、着付けを完了する。
【発明の開示】
【発明が解決しようとする課題】
【０００３】
上記従来の構成では、和服本体２を綺麗に着付けするのに経験と時間とがかかって面倒であり、和服が敬遠される原因の一つになっている。また、和服本体２をきつく身体に巻き付けるので、胸部が圧迫されて息苦しくなることがある。更に、前身頃２ｄ，２ｅの重ね合わせ幅αが広いため〔図９（ｄ）参照〕、歩き難くかったり、その前身頃２ｄ，２ｅに皺が生じやすい。
【０００４】
本発明は、上記従来の欠点に鑑み、着付け作業が容易で着心地が良く外観上の体裁が良好な和服を提供すること目的としている。
【課題を解決するための手段】
【０００５】
上記目的を達成するための構成を実施の形態に対応する図面に基づいて説明すると、請求項１に記載の発明は、図１〜図８に示すように、和服本体２が上下に分断されて和服用上身頃２Ａと和服用下身頃２Ｂとからなり、和服用上身頃２Ａを羽織り、衿２ａを重ね合わせて腰紐３を締めることにより、その和服用上身頃２Ａを上半身に装着し、和服用下身頃２Ｂを腰部に巻き付けた状態で該和服用下身頃２Ｂの両端部上縁どうしを連結することにより、その和服用下身頃２Ｂを下半身に装着し、帯４を上下両身頃２Ａ，２Ｂの重ね合わせ部分に巻き付けるようにしてなる構成を採用するものである。
【０００６】
請求項２に記載の発明は、請求項１に記載の発明において、前記和服用上身頃２Ａの前面両脇部を部分的に折り重ねて縫うことにより、左右一対の脇襠部７が形成されてなる構成を採用するものである。
【０００７】
請求項３に記載の発明は、請求項１または２に記載の発明において、前記和服用下身頃２Ｂの両端部上縁どうしが面ファスナ６により着脱可能に連結されてなる構成を採用するものである。
【０００８】
請求項４に記載の発明は、請求項１〜３のいずれかに記載の発明において、前記和服用下身頃２Ｂの両端部側縁どうしが連結用ゴム紐８により連結されてなる構成を採用するものである。
【０００９】
請求項５に記載の発明は、請求項１〜４のいずれかに記載の発明において、前記和服用下身頃２Ｂの上縁部に形成した袋部２ｆ内の中央部に該和服用下身頃２Ｂを縮径方向に付勢する縮径用ゴム紐９が挿通されてなる構成を採用するものである。
【００１０】
請求項６に記載の発明は、請求項１〜５のいずれかに記載の発明において、前記和服用下身頃２Ｂの上部を折り重ねて縫うことにより、おはしょり２ｃが形成されてなる構成を採用するものである。
【００１１】
請求項７に記載の発明は、請求項６に記載の発明において、前記おはしょり２ｃに挿抜可能に挿入される型崩れ防止用芯材１０を備えてなる構成を採用するものである。
【発明の効果】
【００１２】
請求項１に記載の発明によれば、和服本体２が上下に分断されて法被状の和服用上身頃２Ａと巻きスカート状の和服用下身頃２Ｂとの所謂ツーピース型になっているから、前記和服用上身頃２Ａを羽織り、衿２ａを重ねて腰紐３を締めるだけで、その和服用上身頃２Ａを体裁良く上半身に装着することができると共に、前記和服用下身頃２Ｂを腰部に巻き付けて裾の長さを簡単に決めることができ、着慣れない者でも簡単に短時間で綺麗に着ることができる。しかも、帯４を上下両身頃２Ａ，２Ｂの重ね合わせ部分に巻き付けることにより、所謂ワンピース型の和服とほぼ同様の良好な外観とすることができる。
【００１３】
請求項２に記載の発明によれば、左右一対の脇襠部７により和服用上身頃２Ａの前面両脇部に立体的な余裕が形成されているので、胸部が圧迫されることがなくなり、ワンピース型和服を着たときに生じる息苦しさを解消することができる。
【００１４】
請求項３に記載の発明によれば、面ファスナ６により和服用下身頃２Ｂを腰部に迅速に巻き付けることができると共に、該面ファスナ６による連結を解除して和服用下身頃２Ｂを容易に脱ぐことができる。
【００１５】
請求項４に記載の発明によれば、和服用下身頃２Ｂの両端部側縁どうしが連結用ゴム紐８で連結されており、裾がはだけないので、前身頃２ｄ，２ｅの重ね合わせ幅αを小さくして歩き易くすることができると共に、その重ね合わせ幅αを小さくした分だけ布地を少なくすることができて経済的である。
【００１６】
請求項５に記載の発明によれば、縮径用ゴム紐９により和服用下身頃２Ｂの上縁部を後側に引っ張っているので、その和服用下身頃２Ｂを腰部にフィットさせることができると共に、前身頃２ｄ，２ｅに皺が生じないようにして、綺麗に見せることができる。
【００１７】
請求項６に記載の発明によれば、和服用下身頃２Ｂの上部におはしょり２ｃが形成されているので、外観上の体裁をワンピース型和服に一層近づけることができる。
【００１８】
請求項７に記載の発明によれば、和服を例えば箪笥内に蔵うときでも、おはしょり２ｃ内に型崩れ防止用芯材１０を挿入することにより、そのおはしょり２ｃが型崩れしないようにすることができる。
【発明を実施するための最良の形態】
【００１９】
図１〜図４は本発明の実施の一形態である和服を示すものであって、和服本体２が上下に分断されて和服用上身頃２Ａと和服用下身頃２Ｂとからなり、その和服用下身頃２Ｂの両端部上縁どうしが面ファスナ６により着脱可能に連結されている。上記以外は図９に示す和服とほぼ同じであるから、同一部分に同一符号を付してその説明を省略する。
【００２０】
着付け手順を説明すると、図１（ａ）に示すように、襦袢１を着た状態で和服用上身頃２Ａを羽織り、衿２ａを重ね合わせる。続いて、図１（ｂ）に示すように、腰紐３を腰部に巻き付けて締結することにより、その和服用上身頃２Ａを上半身に装着する。その後、図１（ｃ）に示すように、和服用下身頃２Ｂを腰部に巻き付けた状態で裾線２ｂを床面と平行させて裾の長さを決めた後、該和服用下身頃２Ｂの両端部上縁どうしを面ファスナ６（図３参照）で連結することにより、その和服用下身頃２Ｂを下半身に装着し、次に、図１（ｄ）に示すように、帯４を上下両身頃２Ａ，２Ｂの重ね合わせ部分に巻き付けることにより、着付けを完了する。
【００２１】
上記構成によれば、和服本体２が上下に分断されて法被状の和服用上身頃２Ａと巻きスカート状の和服用下身頃２Ｂとの所謂ツーピース型になっているから、前記和服用上身頃２Ａを羽織り、衿２ａを重ねて腰紐３を締めるだけで〔図１（ａ）（ｂ）参照〕、その和服用上身頃２Ａを体裁良く上半身に装着することができると共に、前記和服用下身頃２Ｂを腰部に巻き付けて裾の長さを簡単に決めることができ、着慣れない者でも簡単に短時間で綺麗に着ることができる。しかも、帯４を上下両身頃２Ａ，２Ｂの重ね合わせ部分に巻き付けることにより、所謂ワンピース型の和服（図９参照）とほぼ同様の良好な外観とすることができる。また、面ファスナ６により和服用下身頃２Ｂを腰部に迅速に巻き付けることができると共に、該面ファスナ６による連結を解除して和服用下身頃２Ｂを容易に脱ぐことができる。
【００２２】
図５に示すように、和服用上身頃２Ａの前面両脇部を部分的に折り重ねて縫うことにより、左右一対の脇襠部７が形成されており、これによれば、左右一対の脇襠部７により和服用上身頃２Ａの前面両脇部に立体的な余裕が形成されているので、胸部が圧迫されることがなくなり、ワンピース型和服を着たときに生じる息苦しさを解消することができる。
【００２３】
図２及び図３に示すように、和服用下身頃２Ｂの両端部側縁どうしが１本または２本以上（この実施の形態では上下２本）の連結用ゴム紐８により連結されており、これによれば、裾がはだけないので、前身頃２ｄ，２ｅの重ね合わせ幅αを小さくして歩き易くすることができると共に、その重ね合わせ幅αを小さくした分だけ布地を少なくすることができて経済的である。
【００２４】
図４及び図７に示すように、和服用下身頃２Ｂの上縁部に形成した袋部２ｆ内の中央部に該和服用下身頃２Ｂを縮径方向に付勢する縮径用ゴム紐９が挿通されており、これによれば、縮径用ゴム紐９により和服用下身頃２Ｂの上縁部を後側に引っ張っているので、その和服用下身頃２Ｂを腰部にフィットさせることができると共に、前身頃２ｄ，２ｅに皺が生じないようにして、綺麗に見せることができる。
【００２５】
図３及び図６に示すように、和服用下身頃２Ｂの上部を折り重ねて縫うことにより、おはしょり２ｃが形成されており、これによれば、外観上の体裁をワンピース型和服（図９参照）に一層近づけることができる。
【００２６】
図８に示すように、おはしょり２ｃに挿抜可能に挿入される型崩れ防止用芯材１０を備えており、これは軽くて柔軟性のある紙材などからなり、これによって、和服を例えば箪笥内に蔵うときでも、おはしょり２ｃ内に型崩れ防止用芯材１０を挿入することにより、そのおはしょり２ｃが型崩れしないようにすることができる。
【図面の簡単な説明】
【００２７】
【図１】（ａ）〜（ｄ）は本発明の実施の一形態である和服の着付け手順を示す正面図である。
【図２】同分解斜視図である。
【図３】同和服用下身頃の斜視図である。
【図４】同和服用下身頃の平面図である。
【図５】（ａ）は和服用上身頃を示す正面図、（ｂ）は脇襠部を示す部分切り欠き斜視図である。
【図６】図４のＡ−Ａ矢視図である。
【図７】図４のＢ−Ｂ矢視図である。
【図８】（ａ）は、はしょりに型崩れ防止用芯材を挿入した和服用下身頃の上部を示す斜視図、（ｂ）は同要部の拡大斜視図である。
【図９】（ａ）〜（ｄ）は従来の和服の着付け手順を示す正面図である。
【符号の説明】
【００２８】
２        和服本体
２Ａ      和服用上身頃
２Ｂ      和服用下身頃
２ａ      衿
２ｃ      おはしょり
２ｆ      袋部
３        腰紐
４        帯
６        面ファスナ
７        脇襠部
８        連結用ゴム紐
９        縮径用ゴム紐
１０      型崩れ防止用芯材
【図１】
2005232611.tif 000003
【図２】
2005232611.tif 000004
【図３】
2005232611.tif 000005
【図４】
2005232611.tif 000006
【図５】
2005232611.tif 000007
【図６】
2005232611.tif 000008
【図７】
2005232611.tif 000009
【図８】
2005232611.tif 000010
【図９】
2005232611.tif 000011